(57)【要約】【課題】ユーザは簡単にネットプリントサービスを受けることができ、一方、デジタルカメラを販売した店舗は自店舗でネットプリントをして貰うように誘導できる。【解決手段】専用のデジタルカメラ３８を販売した店舗によってユーザ情報の登録が行なわれ、この情報はデジタルカメラ３８のシリアル番号に紐付けてサービスサーバに登録される。ユーザＰＣにデジタルカメラ３８が接続されると（ステップＳ２０２）、デジタルカメラ３８から簡易注文ソフトがユーザＰＣにインストールされ（ステップＳ２０４、Ｓ２０６）、その後は簡易注文ソフトによりユーザ認証のためのシリアル番号の入手（ステップＳ２１０）、ＤＰＯＦファイルに基づく画像及び注文情報のサービスサーバへのアップロードが行なわれる（ステップＳ２１８）。そして、「注文確定ボタン」がクリックされ注文内容が確認されると、ネット注文が終了する（ステップＳ２２２、Ｓ２２４）。【選択図】      図６
2006031545.tif 000002
【特許請求の範囲】
【請求項１】
デジタルカメラの購入時に該デジタルカメラの識別情報、及びユーザ情報を前記デジタルカメラを販売した店舗の登録端末機に取り込む工程と、
前記登録端末機が取り込んだ前記デジタルカメラの識別情報とプリント受取店を示す店舗情報とを紐付けて、又は前記デジタルカメラの識別情報とプリント受取店を示す店舗情報及び前記ユーザ情報とを紐付けて所定のサービスサーバに登録させる工程と、
前記デジタルカメラのユーザ端末機への接続時に該ユーザ端末機に所定の注文ソフトがインストールされていない場合に前記デジタルカメラ内に格納されている前記注文ソフトを自動的にインストールさせる工程と、
前記デジタルカメラ内の記録メディアに記録された画像をプリント注文するための注文ファイルを作成する工程と、
前記デジタルカメラのユーザ端末機への接続時に前記注文ソフトを起動させ、該注文ソフトにより前記サービスサーバに自動接続させる工程と、
前記ユーザ端末機と前記サービスサーバとの自動接続後に前記注文ソフトにより前記デジタルカメラから識別情報を取得し、該識別情報を前記サービスサーバに送信する工程と、
前記注文ソフトにより前記注文ファイルで指定された画像及び注文情報を前記サービスサーバに送信する工程と、
前記サービスサーバにより前記送信した画像及び注文情報の確認画面を前記ユーザ端末機に表示させる工程と、
前記ユーザ端末機に表示された確認画面上でプリント注文確定の指示を行なう工程と、
を含むことを特徴とするネットプリント注文方法。
【請求項２】
前記サービスサーバは、前記ユーザ端末機から受信したデジタルカメラの識別情報に基づいて該識別情報に紐付けられている店舗情報を検索し、該店舗情報に対応する店舗端末機に前記ユーザ端末機から受信した画像及び注文情報を転送することを特徴とする請求項１に記載のネットプリント注文方法。
【請求項３】
前記店舗端末機は、写真プリントの仕上がり予定日を含む案内情報を前記サービスサーバを介して前記プリント注文を行なったユーザ端末機に送信し、該ユーザ端末機の注文ソフトは、前記案内情報を前記デジタルカメラの所定の記録領域に記録し、前記デジタルカメラは、プリント注文後の最初の電源投入直後に前記記録領域に記録された案内情報を該デジタルカメラの表示部に表示させることを特徴とする請求項２に記載のネットプリント注文方法。
【請求項４】
前記プリント注文内容の確認画面上において、前記注文情報の編集が可能であることを特徴とする請求項１に記載のネットプリント注文方法。
【請求項５】
前記注文ファイルは、前記デジタルカメラを操作することにより作成され、該デジタルカメラ内の記録メディアに記録されたものであることを特徴とする請求項１に記載のネットプリント注文方法。
【請求項６】
前記注文ファイルは、前記デジタルカメラ内の記録メディアに記録されている全画像を１枚ずつプリントすることを内容とするもので、前記デジタルカメラ又は前記注文ソフトによって自動的に作成されたものであることを特徴とする請求項１に記載のネットプリント注文方法。
【請求項７】
前記注文ファイルは、プリント注文終了後に前記注文ソフトによって自動的に消去されることを特徴とする請求項１に記載のネットプリント注文方法。
【発明の詳細な説明】
【技術分野】
【０００１】
本発明はネットプリント注文方法に係り、特にネットプリント注文を簡易化する技術に関する。
【背景技術】
【０００２】
従来、ネットワークを使用してユーザ端末機からアップロードされた画像をプリントし、写真プリントをユーザに提供する種々のネットプリントサービスがある。
【０００３】
この種のネットプリントサービスでは、氏名、フリガナ、パスワード、パスワードのヒント、生年月日、住所、電話番号、メールアドレス、年齢、性別等のユーザ情報の登録作業は不可欠であるが、パーソナルコンピュータ（パソコン）に不慣れなユーザ、又は殆ど利用しないユーザにとってはユーザ情報の登録作業が煩雑であるという問題がある。
【０００４】
特許文献１には、オンラインショッピング等で要求される個人情報の入力の簡易化を図った顧客認証方法が提案されている。この顧客認証方法は、顧客端末機からＩＰアドレスを取得し、このＩＰアドレスをキーとしてプロバイダに登録されている個人情報を取り出すようにしている。
【特許文献１】特開２００３−２９６５９２号公報
【発明の開示】
【発明が解決しようとする課題】
【０００５】
特許文献１に記載の方法は、ユーザ情報の登録作業を簡易化することができるが、例えば、写真プリントの受取店の設定等を行なうことはできない。また、自宅にはパソコンがあるが、パソコンを使いこなす自信がないユーザや、ネットプリントサービスを受ける方法自体が分からないユーザにとっては、ユーザ情報の登録作業を簡易化しただけでは、ネットプリントサービスを受けることができないという問題がある。更に、ネットプリントサービスを受ける際には、毎回パスワードを入力する必要がある。
【０００６】
一方、ＤＰＥ店、カメラ店などのネットプリントサービスが可能な店舗では、自店舗でネットプリントをして貰いたいが、自店舗をネットプリントサービス店として確実に利用して貰うための有効な手段がないという問題がある。
【０００７】
本発明はこのような事情に鑑みてなされたもので、ユーザが簡単にネットプリントサービスを受けることができるとともに、デジタルカメラの販売及びネットプリントサービスが可能な店舗にとって自店舗でネットプリントをして貰うことができるネットプリント注文方法を提供することを目的とする。
【課題を解決するための手段】
【０００８】
前記目的を達成するために請求項１に係るネットプリント注文方法は、デジタルカメラの購入時に該デジタルカメラの識別情報、及びユーザ情報を前記デジタルカメラを販売した店舗の登録端末機に取り込む工程と、前記登録端末機が取り込んだ前記デジタルカメラの識別情報とプリント受取店を示す店舗情報とを紐付けて、又は前記デジタルカメラの識別情報とプリント受取店を示す店舗情報及び前記ユーザ情報とを紐付けて所定のサービスサーバに登録させる工程と、前記デジタルカメラのユーザ端末機への接続時に該ユーザ端末機に所定の注文ソフトがインストールされていない場合に前記デジタルカメラ内に格納されている前記注文ソフトを自動的にインストールさせる工程と、前記デジタルカメラ内の記録メディアに記録された画像をプリント注文するための注文ファイルを作成する工程と、前記デジタルカメラのユーザ端末機への接続時に前記注文ソフトを起動させ、該注文ソフトにより前記サービスサーバに自動接続させる工程と、前記ユーザ端末機と前記サービスサーバとの自動接続後に前記注文ソフトにより前記デジタルカメラから識別情報を取得し、該識別情報を前記サービスサーバに送信する工程と、前記注文ソフトにより前記注文ファイルで指定された画像及び注文情報を前記サービスサーバに送信する工程と、前記サービスサーバにより前記送信した画像及び注文情報の確認画面を前記ユーザ端末機に表示させる工程と、前記ユーザ端末機に表示された確認画面上でプリント注文確定の指示を行なう工程と、を含むことを特徴としている。
【０００９】
即ち、デジタルカメラを販売した店舗によってユーザ情報の登録やプリント受取店の設定が行なわれるため、ユーザにとってはユーザ端末機（自分のパソコン）でのユーザ情報の登録やプリント受取店の設定が不要となり、また、デジタルカメラの識別情報によって認証が行なわれるため、ユーザＩＤ、パスワード等によるユーザ認証が不要である。更に、デジタルカメラのユーザ端末機への接続時に所定の注文ソフトが起動し、サービスサーバに自動的に接続されるため、ネットプリントサイトをアクセスするためのアクセス情報（ＵＲＬ）を入力する必要がない。尚、注文ソフトは、デジタルカメラを自分のパソコンに接続したときにデジタルカメラから自動的にインストールされるため、ＣＤ−ＲＯＭ等によるインストール作業も不要である。
【００１０】
また、前記注文ソフトにより注文ファイルで指定された画像及び注文情報をサービスサーバに送信するため、ユーザはユーザ端末機上でプリントする画像の選択や注文情報（プリント枚数やプリントサイズ等）を入力する必要がない。画像及び注文情報を受信したサービスサーバは、注文を確定させる確認画面をユーザ端末機に表示させ、ユーザがこの確認画面上でプリント注文確定の指示を行なうと、プリント注文が終了する。
【００１１】
これにより、ユーザはデジタルカメラをユーザ端末機に接続すると、その後は、確認画面上でプリント注文確定の指示を行なうだけでよく、ワンクリックでプリント注文を行なうことができる。
【００１２】
請求項２に示すように請求項１に記載のネットプリント注文方法において、前記サービスサーバは、前記ユーザ端末機から受信したデジタルカメラの識別情報に基づいて該識別情報に紐付けられている店舗情報を検索し、該店舗情報に対応する店舗端末機に前記ユーザ端末機から受信した画像及び注文情報を転送することを特徴としている。これにより、デジタルカメラを販売した店舗は、自店舗をネットプリントサービス店としてユーザに利用して貰うことができ、ユーザの囲い込みを行なうことができる。
【００１３】
請求項３に示すように請求項２に記載のネットプリント注文方法において、前記店舗端末機は、写真プリントの仕上がり予定日を含む案内情報を前記サービスサーバを介して前記プリント注文を行なったユーザ端末機に送信し、該ユーザ端末機の注文ソフトは、前記案内情報を前記デジタルカメラの所定の記録領域に記録し、前記デジタルカメラは、プリント注文後の最初の電源投入直後に前記記録領域に記録された案内情報を該デジタルカメラの表示部に表示させることを特徴としている。前記案内情報に店の宣伝、広告等を含めることで、店舗は新たな告知／広告展開が可能となる。また、ユーザは、ユーザ端末機を使用しなくても案内情報を受け取ることができる。
【００１４】
請求項４に示すように請求項１に記載のネットプリント注文方法において、前記プリント注文内容の確認画面上において、前記注文情報の編集が可能であることを特徴としている。
【００１５】
請求項５に示すように請求項１に記載のネットプリント注文方法において、前記注文ファイルは、前記デジタルカメラを操作することにより作成され、該デジタルカメラ内の記録メディアに記録されたものであることを特徴としている。
【００１６】
請求項６に示すように請求項１に記載のネットプリント注文方法において、前記注文ファイルは、前記デジタルカメラ内の記録メディアに記録されている全画像を１枚ずつプリントすることを内容とするもので、前記デジタルカメラ又は前記注文ソフトによって自動的に作成されたものであることを特徴としている。これによれば、ユーザがデジタルカメラを操作して注文ファイルを作成する必要がなくなり、同時プリントの感覚でネットプリント注文を行なうことができる。
【００１７】
請求項７に示すように請求項１に記載のネットプリント注文方法において、前記注文ファイルは、プリント注文終了後に前記注文ソフトによって自動的に消去されることを特徴としている。これにより、デジタルカメラ内にプリント注文済の注文ファイルが残ることがなくなり、誤ったプリント注文を未然に防止することができる。
【発明の効果】
【００１８】
本発明によれば、ユーザはパソコンやネットプリントサービスの知識がなくても簡単にネットプリントサービスを受けることができるとともに、デジタルカメラの販売及びネットプリントサービスが可能な店舗は、デジタルカメラを販売したユーザに自店舗でネットプリントをして貰うことができる。
【発明を実施するための最良の形態】
【００１９】
以下添付図面に従って本発明に係るネットプリント注文方法の好ましい実施の形態について詳説する。
【００２０】
図１は本発明に係るネットプリント注文方法が適用されるネットプリントシステムのネットワーク構成図である。
【００２１】
同図において、店舗（例えば、ＤＰＥ店、カメラ店）１０、１０Ａ、１０Ｂ、カメラ量販店２０の端末機、ユーザ３０、３０Ａの端末機（パソコン）、及びサービスセンタ４０のサービスサーバは、インターネットを通じて相互に通信できるようになっている。
【００２２】
店舗１０、カメラ量販店２０は、それぞれデジタルカメラを販売したり、ネットプリントサービスを行なっており、図２は店舗１０内のネットプリントシステムに関して示している。
【００２３】
図２に示す店舗１０内のネットプリントシステムは、登録端末機１２と、プリントサーバ１４と、デジタルプリンタ１６と、モデム１８と、これらを接続するＬＡＮ１９とから構成され、モデム１８を介してインターネットに接続できるようになっている。
【００２４】
登録端末機１２は、デジタルカメラの会計時にユーザ情報の登録等を行なうもので、デジタルカメラの梱包箱等に付されたシリアル番号を読み取るバーコードリーダ１２Ａを備えている。
【００２５】
プリントサーバ１４は、ユーザ端末機からサービスセンタ４０のサービスサーバを介してプリントする画像及び注文情報を受信し、この受信した画像及び注文情報に応じたプリントデータを作成してデジタルプリンタ１６に送信したり、写真プリントの仕上がり予定日、店舗１０の宣伝、広告等の店情報をサービスサーバを介してユーザ端末機に送信する機能を有している。また、プリントサーバ１４は、ユーザごとにプリント注文を受け付けたプリント枚数、プリント代金、ポイント等を管理する機能を有している。
【００２６】
尚、登録端末機１２は、プリントサーバ１４の機能を備えていてもよい。
【００２７】
図３はネットプリントサービスを受けるためのユーザ端末機、デジタルカメラ等を示す図である。同図に示すように、ユーザ端末機（ＰＣ）３２は、インターネットに接続できるようになっており、また、ユーザＰＣ３２には、ＵＳＢケーブル３４、クレードル３６を介してデジタルカメラ３８が接続できるようになっている。
【００２８】
尚、デジタルカメラ３８は、後述するように専用の簡易注文ソフトをユーザＰＣにインストールする機能を有している。また、デジタルカメラ３８は、ＵＳＢケーブル３４を介してユーザＰＣ３２に直接接続してもいし、ＩＥＥＥ１３９４や無線のインターフェースを介してユーザＰＣ３２に接続してもよい。
【００２９】
［デジタルカメラ購入時］
次に、デジタルカメラ購入時におけるユーザ情報の登録の流れについて説明する。
【００３０】
図４に示すように、店舗１０の店員は、例えば常連客に本発明に係るネットプリント注文方法に使用されるデジタルカメラ３８を勧める（ステップＳ１０）。デジタルカメラ３８のセールスポイントとしては、例えば、以下のセールスポイントが挙げられる。
【００３１】
１）デジタルカメラ３８をユーザＰＣに接続するだけで、面倒なユーザ登録や設定を行なうことなる簡単にネット注文ができ、プリント注文のために来店する必要がない。
【００３２】
２）ネットプリント注文をする毎にポイントが溜まり、プリントが無料になる。
【００３３】
店舗１０の常連客（ユーザ）は、いつもプリントしている店舗１０の店員からデジタルカメラ３８を勧められ、デジタルカメラ３８の購入を決める（ステップＳ１２、Ｓ１４）。
【００３４】
ユーザはデジタルカメラ３８をレジカウンターに出し（ステップＳ１６）、レジカウンターにいる店員は、デジタルカメラ３８を受け取り、レジを打つ（ステップＳ１８、Ｓ２０）。
【００３５】
続いて、デジタルカメラ３８の金額をユーザに伝え（ステップＳ２２）、ユーザは代金を支払う（ステップＳ２４）。店員はお釣りをユーザに渡し（ステップＳ２６）、ユーザはお釣りを受け取る（ステップＳ２８）。
【００３６】
次に、店員は、ネットプリントサービスを受けるためのユーザ情報の事前登録を勧め（ステップＳ３０）、ユーザは事前登録のメリットを聞く（ステップＳ３２）。
【００３７】
店員は、以下に示すユーザ情報の事前登録のメリットを伝える（ステップＳ３４）。
【００３８】
１）ネットプリントのユーザ作業が不要
ａ．ネットプリントサービスを行なうサイトのアドレス入力不要
・デジタルカメラ３８のユーザＰＣ接続時に自動アクセス
ｂ．ユーザ自身によるネット上でのユーザ情報の登録が不要
ｃ．ユーザ認証不要
・デジタルカメラ３８で認証
ｄ．プリント受取店の登録不要
ｅ．プリントサイズ設定不要
２）ポイントサービス加入
ネットプリント毎にポイントを取得→一定量プリントで無料サービスあり
ユーザはユーザ情報の事前登録を依頼し（ステップＳ３６）、自分の情報を口頭、又は所定の書面を使って、以下に示すユーザ情報を店員に伝える（ステップＳ３８）。
【００３９】
ａ．氏名
ｂ．性別
ｃ．生年月日
ｄ．電話番号
ｅ．住所
ｆ．電子メールアドレス
ｇ．通常プリントするプリントサイズ
ｈ．通常の決済方法（ネット上でのクレジット決済／店頭支払／代引き）
店舗１０の店員は、上記ユーザ情報を登録端末機１２（図２参照）に入力するとともに（ステップＳ４０）、登録端末機１２のバーコードリーダ１２Ａによってデジタルカメラ３８の梱包箱等に付されたシリアル番号（デジタルカメラ固有の識別情報）を読み取らせる（ステップＳ４２）。このシリアル番号とユーザ情報とは紐付けられて登録端末機１２に保存される。
【００４０】
尚、梱包箱やシール等に付されたシリアル番号（１次元バーコード又は２次元バーコード付きのシリアル番号）をバーコードリーダ１２で読み取るようにしたが、登録端末機１２のキーボードで手入力してもよいし、デジタルカメラ３８又はその梱包箱に付けられたＩＣタグから無線通信でシリアル番号を取得するようにしてもよい。
【００４１】
ユーザ情報の入力が終了すると、そのユーザ情報が表示された確認画面をユーザに見せて確認をとる（ステップＳ４４）。ユーザは自分のユーザ情報を確認し（ステップＳ４６）、店舗側にＯＫを伝える（ステップＳ４８）。一方、店舗側ではユーザからユーザ情報のＯＫの確認がとれると（ステップＳ５０）、デジタルカメラ３８をユーザに渡す（ステップＳ５２）。ユーザはデジタルカメラ３８を受け取る（ステップＳ５４）。
【００４２】
その後、店舗１０の登録端末機１２は、ユーザ情報とデジタルカメラ３８のシリアル番号とをサービスサーバに送信し、サービスサーバでは、シリアル番号及びユーザ情報を、これらの情報を送信した店舗１０の識別情報（店舗情報）に紐付けて図示しないデータベースに登録する（ステップＳ５６）。尚、上記店舗情報は、ネットプリントサービスを行う店舗であり、かつユーザが写真プリントを受け取るプリント受取店の情報としてサービスサーバに登録される。
【００４３】
サービスサーバで上記情報の登録が終了すると、店舗１０の登録端末機１２は、サービスサーバから「登録完了」の案内を受取る（ステップＳ５８）。これにより、デジタルカメラ３８の購入時のユーザ情報等の登録が完了する。
【００４４】
［デジタルカメラ使用時］
次に、デジタルカメラの使用時の操作手順について説明する。
【００４５】
まず、図５に示すようにデジタルカメラ３８の電源を入れ、デジタルカメラ３８で撮影を行なう（ステップＳ１００、Ｓ１０２）。撮影された画像は、デジタルカメラ３８の記録メディアに記録される。
【００４６】
その後、プリントサービスを受けるためにデジタルカメラ３８で記録メディアに記録された画像をデジタルカメラ３８の液晶モニタに再生させ、プリントしたい画像の選択及びプリント枚数の設定を行なう（ステップＳ１０４、Ｓ１０６）。即ち、デジタルカメラ３８を再生モードにし、プリント予約のメニューを開き、ここでプリントする画像の選択と枚数の設定を行なう。このデジタルカメラ３８の操作により、デジタルカメラ３８は注文ファイル（ＤＰＯＦファイル）を作成し、このＤＰＯＦファイルを記録メディアに記録する。
【００４７】
尚、図５に示したデジタルカメラ３８の使用時の操作内容は、一般のデジタルカメラと同じである。
【００４８】
［ネットプリント注文時］
次に、ユーザＰＣ３２及びデジタルカメラ３８を使用してネットプリント注文を行なう場合について説明する。
【００４９】
図６に示すようにユーザＰＣ３２を起動する（ステップＳ２００）。続いて、デジタルカメラ３８とユーザＰＣ３２とをＵＳＢケーブルで接続し、デジタルカメラ３８の電源をオンにする（ステップＳ２０２）。図３に示す例では、デジタルカメラ３８をクレードル３６に装填することにより、デジタルカメラ３８とユーザＰＣ３２とがＵＳＢケーブル３４で接続できるようになっている。
【００５０】
デジタルカメラ３８とユーザＰＣ３２とが接続されると、ユーザＰＣ３２は、本発明に係る専用の簡易注文ソフトが格納されているデジタルカメラ３８から簡易注文ソフトを自動的にダウンロードし（ステップＳ２０４）、簡易注文ソフトを自動的にユーザＰＣ３２にインストールする（ステップＳ２０６）。尚、ユーザＰＣ３２に既に簡易注文ソフトがインストールされている場合には、上記ステップＳ２０４、Ｓ２０６の処理は省略される。
【００５１】
前記簡易注文ソフトは、デジタルカメラ３８がユーザＰＣ３２に接続されると、又はインストールされた直後に自動的に起動する（ステップＳ２０８）。
【００５２】
前記簡易注文ソフトは、起動後にデジタルカメラ３８からシリアル番号を取り込む（ステップＳ２１０）。尚、デジタルカメラ３８内の不揮発性メモリ（ＥＥＰＲＯＭ等）には、デジタルカメラ３８のシリアル番号を含むカメラ情報が記憶されており、簡易注文ソフトは、前記不揮発性メモリに記録された情報を読み取ることでシリアル番号を取り込む。
【００５３】
続いて、簡易注文ソフトは、ユーザＰＣ３２をサービスサーバに自動的に接続させる（ステップＳ２１２）。即ち、簡易注文ソフト内、又はデジタルカメラ３８内には、図１に示したサービスセンタ４０のサービスサーバにアクセスするためのアクセス情報（ＵＲＬ）が記録されており、このアクセス情報に基づいてユーザＰＣ３２をサービスサーバに自動接続させる。
【００５４】
その後、簡易注文ソフトは、サービスサーバにデジタルカメラ３８のシリアル番号を送信する（ステップＳ２１４）。
【００５５】
サービスサーバは、ユーザＰＣ３２から受け取ったシリアル番号と、事前に登録されているシリアル番号とを照合することでユーザ認証を行い、ユーザ認証された場合（一致するシリアル番号が登録されている場合）には、認証ＯＫの信号をユーザＰＣ３２に送信する（ステップＳ２１６）。
【００５６】
認証ＯＫの信号を受信すると、簡易注文ソフトは、ＤＰＯＦファイルで設定された画像をデジタルカメラ３８の記録メディアから読み出し、この画像とともにプリント枚数等の注文情報をサービスサーバに送信する（ステップＳ２１８）。尚、上記注文情報の代わりにＤＰＯＦファイルを送信するようにしてもよい。
【００５７】
サービスサーバは、ユーザＰＣ３２からアップロードされた画像と注文情報を確認すると、「注文を確定するＧＵＩ（Graphical User Interface）」をユーザＰＣ３２の画面に表示させる（ステップＳ２２０）。このＧＵＩには、注文画像の縮小画像（サムネイル画像）、注文枚数、プリント代金、注文プリントサイズ、ユーザ情報（氏名、決済等）、及び「注文確定ボタン」が表示される。尚、サービスサーバは、更にプリント枚数に対応する累積ポイント数、プリント受取店（注文店）の告知／キャンペーンの情報等を表示させることもできる。
【００５８】
ユーザは、上記ＧＵＩ上で注文内容を確認することができる（ステップＳ２２２）。また、上記ＧＵＩ上には、各サムネイル画像に対応して表示された注文枚数を変更させるアップ／ダウンボタンや、キャンセルボタン等が表示されており、ユーザは、ＧＵＩ上でアップ／ダウンボタンをクリックすることで各画像ごとに注文枚数を変更又はキャンセルしたり、キャンセルボタンをクリックすることで注文自体をキャンセルすることもできる。
【００５９】
その後、ＧＵＩ上の「注文確定ボタン」をクリックすると、その情報がサービスサーバに送られ、ＧＵＩに表示されている注文内容が確定し、ネットプリント注文が終了する（ステップＳ２２４）。
【００６０】
図６からも明らかなように、ＤＰＯＦファイルによる注文内容を編集しなければ、ユーザＰＣ３２での注文操作は、ＧＵＩ上の「注文確定ボタン」をクリックするだけでよく、ワンクリックで画像のアップロードからプリント注文を行なうことができる。
【００６１】
尚、プリント注文が終了すると、簡易注文ソフトは、デジタルカメラ３８の記録メディア内のＤＰＯＦファイルを自動的に削除する。これによれば、ＤＰＯＦファイルを更新しない場合に生じる、同じプリント注文が繰り返されるという問題を未然に防止することができる。
【００６２】
また、プリント注文が終了すると、サービスサーバは、写真プリントの仕上がり予定日を含む注文店の案内情報等をユーザＰＣ３２に送信し、簡易注文ソフトは、この案内情報、及び前記ＧＵＩに表示させた告知／キャンペーンの情報等をデジタルカメラ３８の所定の記録領域に記録する。
【００６３】
更に、プリント注文が終了すると、サービスサーバは、ユーザＰＣ３２から受け取ったシリアル番号に紐付けられているプリント受取店を示す店舗情報に基づいて該店舗情報に対応する店舗１０のプリントサーバ１４（図２参照）にアクセスし、ユーザＰＣ３２からアップロードされた画像及び注文情報と、前記シリアル番号に紐付けらえているユーザ情報とをプリントサーバ１４に転送する。
【００６４】
プリントサーバ１４は、サービスセンタ４０のサービスサーバを介してプリントする画像及び注文情報と、ユーザ情報とを受信すると、この受信した画像及び注文情報に応じたプリントデータを作成してデジタルプリンタ１６に出力し、デジタルプリンタ１６はプリントサーバ１４から入力したプリントデータに基づいて写真プリントを作成する。このようにしてプリントされた写真プリントは、ユーザ情報等が印刷されたＤＰ袋に入れられ、ユーザが受け取りにくるまで管理される。
【００６５】
［ネットプリント注文後のデジタルカメラ使用時］
図７はネットプリント注文後に最初にデジタルカメラを使用した場合のカメラの動作等を示すフローチャートである。尚、図５に示した通常のデジタルカメラ使用時と共通する部分には同一のステップ番号を付し、その詳細な説明は省略する。
【００６６】
図７において、ネットプリント注文後に最初にデジタルカメラ３８の電源を入れると、デジタルカメラ３８は、ネットプリント注文時に簡易注文ソフトによって所定の記録領域に記録された、写真プリントの仕上がり予定日を含む注文店の案内情報、プリント注文のお礼メッセージ、告知／キャンペーンの情報等を読み出し、これらの情報をデジタルカメラ３８の液晶モニタに表示する（ステップＳ３０２）。
【００６７】
液晶モニタに情報を表示してから一定時間経過し、又はデジタルカメラ３８のＯＫキー等のキー操作が行なわれると、デジタルカメラ３８は、液晶モニタに表示した情報を消去するとともに、所定の記録領域に記録された情報を消去する（ステップＳ３０４）。
【００６８】
その後、デジタルカメラ３８は、図５に示した通常のデジタルカメラ使用時と同様な操作手順で操作される。
【００６９】
尚、この実施の形態では、ユーザが事前にデジタルカメラを操作してＤＰＯＦファイルを作成する場合について説明したが、これに限らず、例えば、デジタルカメラ内の記録メディアにＤＰＯＦファイルが記録されていない状態でネットプリント注文が行なわれた場合には、デジタルカメラ又は簡易注文ソフトによって自動的にＤＰＯＦファイルを作成するようにしてもよい。この場合のＤＰＯＦファイルによる注文情報としては、デジタルカメラ内の記録メディアに記録されている全画像を１枚ずつプリントすることを内容にすることが好ましい。
【００７０】
また、この実施の形態では、ユーザ情報をサービスサーバで管理するようにしたが、これに限らず、各店舗の受付端末機等で管理してもよいし、両者で管理してもよい。尚、ユーザ情報を各店舗のみで管理する場合、サービスサーバは、デジタルカメラのシリアル番号とプリント受取店を示す店舗情報とを紐付けて管理すればよい。
【図面の簡単な説明】
【００７１】
【図１】図１は本発明に係るネットプリント注文方法が適用されるネットプリントシステムのネットワーク構成図である。
【図２】図２はＤＰＥ店等の店舗内のネットプリントシステムの構成図である。
【図３】図３はネットプリントサービスを受けるユーザのユーザ端末機等を示す図である。
【図４】図４はデジタルカメラ購入時におけるユーザ情報の登録の流れを示すフローチャートである。
【図５】図５はデジタルカメラ使用時の操作手順を示すフローチャートである。
【図６】図６はネットプリント注文時の処理内容を示すフローチャートである。
【図７】図７はネットプリント注文後に最初にデジタルカメラを使用した場合のカメラの動作等を示すフローチャートである。
【符号の説明】
【００７２】
１０、１０Ａ、１０Ｂ…ＤＰＥ店等の店舗、１２…登録端末機、１４…プリントサーバ、１６…デジタルプリンタ、２０…カメラ量販店、３０、３０Ａ…ユーザ、３２…ユーザ端末機（ＰＣ）、３４…ＵＳＢケーブル、３６…クレードル、３８…デジタルカメラ、４０…サービスセンタ
【図１】
2006031545.tif 000003
【図２】
2006031545.tif 000004
【図３】
2006031545.tif 000005
【図４】
2006031545.tif 000006
【図５】
2006031545.tif 000007
【図６】
2006031545.tif 000008
【図７】
2006031545.tif 000009